(57)【要約】【課題】行き先登録手段または呼び登録手段が操作されて、かごが行き先の乗場または操作された乗場に到着したときに、かごが行き先の乗場または操作された乗場に到着したことを利用者に知らせることで、視聴覚障害者が簡単に利用することができるエレベータ装置を得る。【解決手段】昇降路１を昇降するかご２と、かご２に接続され、かご２の昇降を制御するかご制御部３と、各乗場４に設けられ、操作されることで、かご制御部３が操作された乗場４にかご２を移動させる呼び登録ボタン５とを備えたエレベータ装置において、各乗場４に設けられ、振動可能な振動プレート６を備え、呼び登録ボタン５が操作された場合に、操作された乗場４にかご２が到着することで、振動プレート６に接触している利用者が感知できるように振動プレート６が振動する。【選択図】図２
2009249056.tif 000002
【特許請求の範囲】
【請求項１】
昇降路を昇降するかごと、
前記かごに接続され、前記かごの昇降を制御するかご制御部と、
各乗場に設けられ、操作されることで、前記かご制御部が操作された前記乗場に前記かごを移動させる呼び登録手段とを備えたエレベータ装置において、
各前記乗場に設けられ、振動可能な第１の振動手段を備え、
前記呼び登録手段が操作された場合に、操作された前記乗場に前記かごが到着することで、前記第１の振動手段に接触している利用者が感知できるように前記第１の振動手段が振動することを特徴とするエレベータ装置。
【請求項２】
昇降路を昇降するかごと、
前記かごに接続され、前記かごの昇降を制御するかご制御部と、
前記かごに設けられ、操作されることで、前記かご制御部が行き先の乗場に前記かごを移動させる行き先登録手段とを備えたエレベータ装置において、
前記かごに設けられ、振動可能な第２の振動手段と、
前記第２の振動手段に接続され、前記第２の振動手段の振動の有無を制御する振動制御部と、
前記かごに設けられ、前記振動制御部に接続された、操作可能な振動登録手段とを備え、
前記行き先登録手段および前記振動登録手段が操作された場合に、前記かごが行き先の前記乗場へ到着することで、前記第２の振動手段に接触している利用者が感知できるように前記第２の振動手段が振動することを特徴とするエレベータ装置。
【請求項３】
前記かごに設けられ、操作されることで、前記かご制御部が行き先の前記乗場に前記かごを移動させる行き先登録手段と、
前記かごに設けられ、振動可能な第２の振動手段と、
前記第２の振動手段に接続され、前記第２の振動手段の振動の有無を制御する振動制御部と、
前記かごに設けられ、前記振動制御部に接続された、操作可能な振動登録手段とを備え、
前記行き先登録手段および前記振動登録手段が操作された場合に、前記かごが行き先の前記乗場へ到着することで、前記第２の振動手段に接触している利用者が感知できるように前記第２の振動手段が振動することを特徴とする請求項１に記載のエレベータ装置。
【発明の詳細な説明】
【技術分野】
【０００１】
この発明は、昇降路を昇降するかごと、かごの昇降を制御するかご制御部とを備えたエレベータ装置に関する。
【背景技術】
【０００２】
従来、昇降路を昇降するかごと、前記かごの昇降を制御するかご制御部と、前記かごに設けられた、操作されることで、前記かご制御部が行き先の乗場に前記かごを移動させる行き先登録ボタンとを備えたエレベータ装置が知られている（例えば、特許文献１参照）。
また、上記構成に加え、各前記乗場に設けられた、操作されることで、前記かご制御部が操作された前記乗場に前記かごを移動させる呼び登録ボタンを備えたエレベータ装置が知られている。
このものの場合、かごの中に利用者がいる際には、利用者が行き先登録ボタンを操作することで、かごが行き先の乗場に移動し、行き先の乗場にかごが到着後、利用者はかごから降りることができる。
また、乗場に利用者がいる際には、利用者が呼び登録ボタンを操作することで、かごが操作された乗場に移動し、操作された乗場にかごが到着後、利用者はかごに乗ることができる。
【０００３】
【特許文献１】特開２００１−１０６４４４号公報
【発明の開示】
【発明が解決しようとする課題】
【０００４】
しかしながら、このものの場合、行き先登録ボタンまたは呼び登録ボタンが操作され、かごが行き先の乗場または操作された乗場に到着しても、視聴覚障害者は、かごが行き先の乗場または操作された乗場に到着したことを知ることができず、エレベータ装置を利用することが困難であるという問題点があった。
【０００５】
この発明は、上述のような問題点を解決することを課題とするものであって、その目的は、行き先登録手段または呼び登録手段が操作されて、かごが行き先の乗場または操作された乗場に到着したときに、かごが行き先の乗場または操作された乗場に到着したことを利用者に知らせることで、視聴覚障害者が簡単に利用することができるエレベータ装置を提供するものである。
【課題を解決するための手段】
【０００６】
この発明に係るエレベータ装置は、昇降路を昇降するかごと、前記かごに接続され、前記かごの昇降を制御するかご制御部と、各乗場に設けられ、操作されることで、前記かご制御部が操作された前記乗場に前記かごを移動させる呼び登録手段とを備えたエレベータ装置において、各前記乗場に設けられ、振動可能な第１の振動手段を備え、前記呼び登録手段が操作された場合に、操作された前記乗場に前記かごが到着することで、前記第１の振動手段に接触している利用者が感知できるように前記第１の振動手段が振動する。
【０００７】
また、この発明に係るエレベータ装置は、昇降路を昇降するかごと、前記かごに接続され、前記かごの昇降を制御するかご制御部と、前記かごに設けられ、操作されることで、前記かご制御部が行き先の乗場に前記かごを移動させる行き先登録手段とを備えたエレベータ装置において、前記かごに設けられ、振動可能な第２の振動手段と、前記第２の振動手段に接続され、前記第２の振動手段の振動の有無を制御する振動制御部と、前記かごに設けられ、前記振動制御部に接続された、操作可能な振動登録手段とを備え、前記行き先登録手段および前記振動登録手段が操作された場合に、前記かごが行き先の前記乗場へ到着することで、前記第２の振動手段に接触している利用者が感知できるように前記第２の振動手段が振動する。
【発明の効果】
【０００８】
この発明に係るエレベータ装置によれば、呼び登録手段が操作された場合に、操作された乗場にかごが到着することで、第１の振動手段に接触している利用者が感知できるように第１の振動手段が振動するので、視聴覚障害者は、操作された乗場にかごが到着したことを知ることができ、簡単に利用することができる。
【０００９】
また、この発明に係るエレベータ装置によれば、行き先登録手段および振動登録手段が操作された場合に、行き先の乗場にかごが到着することで、第２の振動手段に接触している利用者が感知できるように第２の振動手段が振動するので、視聴覚障害者は、行き先の乗場にかごが到着したことを知ることができ、簡単に利用することができる。
【発明を実施するための最良の形態】
【００１０】
以下、この発明の各実施の形態を図に基づいて説明するが、各図において、同一または相当の部材、部位については、同一符号を付して説明する。
実施の形態１．
図１はこの実施の形態に係るエレベータ装置の要部を示す正面図、図２は図１のエレベータ装置のブロック図である。
この実施の形態に係るエレベータ装置は、昇降路１を昇降するかご２と、このかご２に接続された、かご２の昇降を制御するかご制御部３と、各乗場４に設けられた、かご制御部３に接続された呼び登録手段である呼び登録ボタン５とを備えている。
呼び登録ボタン５は、操作されることでかご制御部３に信号を送り、かご制御部３は、操作された乗場４にかご２を移動させる。
なお、呼び登録手段は呼び登録ボタン５に限らず、操作されることでかご制御部３に信号を送ることができるものであればよい。
【００１１】
また、このエレベータ装置は、乗場４に設けられた、振動可能な第１の振動手段である振動プレート６と、この振動プレート６に接続された、振動プレート６の振動の有無を制御する振動プレート制御部７とを備えている。
振動プレート６は、マイクロモータ（図示せず）が内蔵されており、振動プレート制御部７からの信号によりマイクロモータが駆動することで、振動プレート６に接触している利用者が感知できるように振動プレート６が振動する。
なお、第１の振動手段は振動プレート６に限らず、例えば、マイクロモータが内蔵された振動手摺であってもよい。
振動プレート制御部７は、かご制御部３に接続されており、呼び登録ボタン５が操作され、操作された乗場４にかご２が到着することで、かご制御部３から振動プレート制御部７に信号が送られる。
【００１２】
呼び登録ボタン５および振動プレート６の近傍には、呼び登録ボタン５および振動プレート６の使用方法を記載した点字プレート（図示せず）が設けられている。
この点字プレートに記載された使用方法に従うことで、利用者は、呼び登録ボタン５を操作した後、振動プレート６が振動するまで、振動プレート６に接触している。
【００１３】
次に、この実施の形態に係るエレベータ装置の動作について説明する。
まず、乗場４にいる利用者により、呼び登録ボタン５が操作される。
操作された呼び登録ボタン５は、かご制御部３に信号を送り、かご制御部３は、操作された乗場４にかご２を移動させる。
このとき、利用者は、振動プレート６に接触している。
次に、かご２が操作された乗場４に到着することで、かご制御部３は、振動プレート制御部７に信号を送り、振動プレート制御部７は、振動プレート６を振動させて、振動プレート６に接触している利用者に、操作された乗場４にかご２が到着したことを知らせる。
その結果、利用者は、簡単に、かご２に乗ることができる。
【００１４】
以上説明したように、この実施の形態に係るエレベータ装置によれば、呼び登録ボタン５が操作された場合に、操作された乗場４にかご２が到着することで、振動プレート６が振動して、振動プレート６に接触している利用者に、操作された乗場４にかご２が到着したことを知らせるので、視聴覚障害者であっても、簡単にかご２の乗ることができる。
【００１５】
実施の形態２．
図３はこの実施の形態に係るエレベータ装置の要部を示す正面図、図４は図３のエレベータ装置のブロック図である。
この実施の形態に係るエレベータ装置は、かご２に設けられた、かご制御部３に接続された行き先登録手段である行き先登録ボタン８を備えている。
行き先登録ボタン８は、操作されることでかご制御部３に信号を送り、かご制御部３は、行き先の乗場４にかご２を移動させる。
なお、行き先登録手段は、行き先登録ボタン８に限らず、操作されることでかご制御部３に信号を送ることができるものであればよい。
【００１６】
また、このエレベータ装置は、かご２に設けられた、振動可能な第２の振動手段である振動手摺９と、この振動手摺９に接続された、振動手摺９の振動の有無を制御する振動制御部である振動手摺制御部１０と、かご２に設けられた振動登録手段である振動登録ボタン１１とを備えている。
かご制御部３は、振動手摺制御部１０に接続されており、行き先登録ボタン８が操作され、行き先の乗場４にかご２が到着することで、かご制御部３は振動手摺制御部１０に信号を送る。
振動登録ボタン１１は、振動手摺制御部１０に接続されており、操作されることで、振動登録ボタン１１は振動手摺制御部１０に信号を送る。
振動手摺制御部１０は、かご制御部３から信号が送られ、かつ、振動登録ボタン１１から信号が送られた場合に、振動手摺９を振動させる。
振動手摺９は、マイクロモータ（図示せず）が内蔵されており、マイクロモータが駆動することで、振動手摺９に接触している利用者が感知できるように振動手摺９が振動する。
なお、第２の振動手段は振動手摺９に限らず、例えば、マイクロモータが内蔵された振動プレートであってもよい。
また、振動登録手段は、振動登録ボタン１１に限らず、操作されることで振動手摺制御部１０に信号を送ることができるものであればよい。
【００１７】
行き先登録ボタン８、振動登録ボタン１１および振動手摺９の近傍には、行き先登録ボタン８、振動登録ボタン１１および振動手摺９の使用方法を記載した点字プレート（図示せず）が設けられている。
この点字プレートに記載された使用方法に従うことで、利用者は、行き先登録ボタン８および振動登録ボタン１１を操作した後、振動手摺９が振動するまで、振動手摺９に接触している。
その他の構成は実施の形態１と同様である。
【００１８】
次に、この実施の形態に係るエレベータ装置の動作について説明する。
まず、かご２の中にいる利用者により、行き先登録ボタン８が操作されるととともに、振動登録ボタン１１が操作される。
操作された行き先登録ボタン８は、かご制御部３に信号を送り、かご制御部３は、行き先の乗場４にかご２を移動させる。
操作された振動登録ボタン１１は、振動手摺制御部１０に信号を送る。
このとき、利用者は、振動手摺９に接触している。
かご２が行き先の乗場４に到着することで、かご制御部３は、振動手摺制御部１０に信号を送り、振動手摺制御部１０は、かご制御部３および振動登録ボタン１１から信号が送られているので、振動手摺９を振動させて、振動手摺９に接触している利用者に、行き先の乗場４にかご２が到着したことを知らせる。
その結果、利用者は、簡単に、かご２から降りることができる。
【００１９】
以上説明したように、この実施の形態に係るエレベータ装置によれば、行き先登録ボタン８および振動登録ボタン１１が操作されて、行き先の乗場４にかご２が到着することで、振動手摺９が振動して、振動手摺９に接触している利用者に、行き先の乗場４にかご２が到着したことを知らせるので、視覚聴覚障害者であっても、簡単にかご２から降りることができる。
【００２０】
また、操作された乗場４にかご２が到着したときに振動プレート６が振動し、行き先の乗場４にかご２が到着したときに振動手摺９が振動するので、視聴覚障害者であっても、簡単にかご２の乗り降りを行うことができる。
【図面の簡単な説明】
【００２１】
【図１】この発明の実施の形態１に係るエレベータ装置の要部を示す正面図である。
【図２】図１のエレベータ装置のブロック図である。
【図３】この発明の実施の形態２に係るエレベータ装置の要部を示す正面図である。
【図４】図３のエレベータ装置のブロック図である。
【符号の説明】
【００２２】
１  昇降路、２  かご、３  かご制御部、４  乗場、５  呼び登録ボタン（呼び登録手段）、６  振動プレート（第１の振動手段）、７  振動プレート制御部、８  行き先登録ボタン（行き先登録手段）、９  振動手摺（第２の振動手段）、１０  振動手摺制御部（振動制御部）、１１  振動登録ボタン（振動登録手段）。
【図１】
2009249056.tif 000003
【図２】
2009249056.tif 000004
【図３】
2009249056.tif 000005
【図４】
2009249056.tif 000006